(57)【特許請求の範囲】
【請求項１】
レンズを保持するレンズ保持部に沿って冷陰極放電管を配設するとともに、該冷陰極放電管に複数個のリング状又はチューブ状の合成樹脂製の緩衝部材を配設し、該緩衝部材を介して、冷陰極放電管をレンズ保持部に保持するようにした照明付拡大鏡において、冷陰極放電管を保持するレンズ保持部に光が散乱する材料を配設したことを特徴とする照明付拡大鏡。
【請求項２】
冷陰極放電管を保持するレンズ保持部の一方の面を光が透過しない材料で、他方の面を光が透過する材料で以て構成したことを特徴とする請求項１記載の照明付拡大鏡。
【請求項３】
冷陰極放電管に、特定の周波数の可視光を透過させる光透過被膜を形成したことを特徴とする請求項１又は２記載の照明付拡大鏡。
【請求項４】
冷陰極放電管に、蛍光体被膜に演色性の蛍光体被膜を形成した冷陰極放電管を用いたことを特徴とする請求項１、２又は３記載の照明付拡大鏡。
【請求項５】
冷陰極放電管に、部分的に蛍光体被膜を設けない部分を形成したことを特徴とする請求項１、２、３又は４記載の照明付拡大鏡。
【発明の詳細な説明】
【０００１】
【発明の属する技術分野】
本発明は、照明付拡大鏡に関し、特に、冷陰極放電管を用いた照明付拡大鏡に関するものである。
【０００２】
【従来の技術】
従来、視力が低下した老眼の人が、薄暗い場所で読書や作業を行うことができるように、照明付拡大鏡が使用されている。
この照明付拡大鏡は、拡大鏡に小型白熱電球や蛍光灯を配設して構成されている。
【０００３】
【発明が解決しようとする課題】
ところで、白熱電球は、光源が点光源に近いので照明されている部分が局所的となり、被視体全体が一様な明るさとならず、見えにくく、さらには光源が赤色に偏っているので、昼間に見る色と異なり、正確な色判断ができないという問題があった。
【０００４】
また、蛍光灯においては、蛍光灯そのものが大きいため、必然的に拡大鏡が大型となり、片手に持って作業することが困難であるという問題があった。
【０００５】
これらの問題点を解消するものとして、冷陰極放電管を用いた照明付拡大鏡が提案されてはいるが、強度等の点、具体的には、拡大鏡を誤って落下させた場合等で、冷陰極放電管が衝撃を受けると、レンズを保持するレンズ保持部に沿って配設した冷陰極放電管が破損するという問題があった。
【０００６】
本発明は、上記従来の照明付拡大鏡、特に、冷陰極放電管を用いた照明付拡大鏡の有する問題点に鑑み、低消費電力で白色光に近い明るい照明を得ることができる冷陰極放電管を用いるとともに、冷陰極放電管から照射される光の損失を少なくしながら、拡大鏡を誤って落下させた場合等における耐衝撃性を高めた照明付拡大鏡を提供することを目的とする。
【０００７】
【課題を解決するための手段】
上記目的を達成するため、本発明の照明付拡大鏡は、レンズを保持するレンズ保持部に沿って冷陰極放電管を配設するとともに、該冷陰極放電管に複数個のリング状又はチューブ状の合成樹脂製の緩衝部材を配設し、該緩衝部材を介して、冷陰極放電管をレンズ保持部に保持するようにした照明付拡大鏡において、冷陰極放電管を保持するレンズ保持部に光が散乱する材料を配設したことを特徴とする。
【０００８】
この照明付拡大鏡は、冷陰極放電管に複数個のリング状又はチューブ状の合成樹脂製の緩衝部材を配設し、この緩衝部材を介して、冷陰極放電管をレンズ保持部に保持するようにしているので、低消費電力で白色光に近い明るい照明を得ることができる冷陰極放電管の利点を享有することができるとともに、冷陰極放電管から照射される光の損失を少なくしながら、拡大鏡を誤って落下させた場合等における耐衝撃性を高め、冷陰極放電管が破損する事故を未然に防止することができる。
【０００９】
そして、冷陰極放電管を保持するレンズ保持部に光が散乱する材料を配設することにより、冷陰極放電管の光を均一に照射することができる。
【００１０】
この場合において、冷陰極放電管を保持するレンズ保持部の一方の面を光が透過しない材料で、他方の面を光が透過する材料で以て構成することができる。
【００１１】
これにより、眩しさを軽減しながら、冷陰極放電管から照射される光の損失を一層少なくすることができる。
【００１２】
また、冷陰極放電管に、特定の周波数の可視光を透過させる光透過被膜を形成することができる。
【００１３】
これにより、白色光以外の着色光による照明としたり、紫外線の放出量を低減する等、拡大鏡の使用目的に応じた照明を行うことができる。
【００１４】
また、冷陰極放電管に、蛍光体被膜に演色性の蛍光体被膜を形成した冷陰極放電管を用いることができる。
【００１５】
これにより、拡大鏡の使用目的に応じて、白色光以外の着色光による照明を行うことができる。
【００１６】
また、冷陰極放電管に、部分的に蛍光体被膜を設けない部分を形成することができる。
【００１７】
これにより、冷陰極放電管から照射される光の損失を少なくして、発光効率を向上することができる。
【００１８】
【発明の実施の形態】
以下、本発明の照明付拡大鏡の実施の形態を図面に基づいて説明する。
【００１９】
図１〜図５に、本発明の照明付拡大鏡の一実施例を示す。
この照明付拡大鏡は、合成樹脂等の材料で以て形成した本体１のレンズ保持部２に保持された冷陰極放電管４及びガラス製又は合成樹脂製のレンズ５と、本体１の把持部３に配設した冷陰極放電管４を点灯放電するための放電回路１１、乾電池等の電源１２及びスイッチ１３から構成されている。
【００２０】
この場合において、レンズ保持部２は、一方の面にレンズ５を保持する内鍔２１を本体１と一体に形成するとともに、レンズ５及び合成樹脂等の材料で以て形成した中間リング６を介して、レンズ保持部２に沿って、レンズ保持部２の形状に合わせてループ状や矩形に形成した冷陰極放電管４を配設し、さらに、レンズ保持部２の他方の面を構成する合成樹脂等の材料で以て形成した固定リング８を本体１に嵌合して構成するようにする。
【００２１】
このため、レンズ保持部２には、一方の面側のレンズ５の外周面に当接する位置に、内鍔２１を形成し、レンズ５、中間リング６、冷陰極放電管４を嵌入するための異径段部２２を介して、他方の面側の内周面に固定リング８の外周縁８１が嵌合される嵌合溝２３を形成するようにする。
【００２２】
そして、レンズ保持部２の一方の面を構成するレンズ５を保持する内鍔２１は、光が透過しない材料で、他方の面を構成する固定リング８は、光が透過する材料で以て、それぞれ構成するようにすることが望ましい。
これにより、照明付拡大鏡の使用時の眩しさを軽減しながら、冷陰極放電管４から照射される光の損失を少なくすることができる。
【００２３】
また、レンズ保持部２の一方の面を構成するレンズ５を保持する内鍔２１の裏面側に、例えば、アルミニウム箔やアルミニウム箔をプリズム状に形成した反射シート等の光が散乱する材料を配設することができる。
これにより、冷陰極放電管４の光を均一に照射することができる。
【００２４】
また、冷陰極放電管４には、複数個（本実施例においては、７個）のリング状の無色透明の適度の弾力性を有する合成樹脂製の緩衝部材７を嵌挿して略等間隔に配置し、この緩衝部材７を介して、冷陰極放電管４をレンズ保持部２、具体的には、中間リング６と固定リング８の間に挟持、保持するようにする。
このため、中間リング６は、短筒状の外周部６１の内周面に舌片状の内鍔６２を突設し、この内鍔６２の一方の面をレンズ５の外周面に沿う形状に、他方の面を緩衝部材７の外周面に沿う形状に、また、固定リング８の舌片状の内鍔８２の一方の面を緩衝部材７の外周面に沿う形状に、それぞれ形成するようにする。
これにより、冷陰極放電管４から照射される光の損失を少なくしながら、拡大鏡を誤って落下させた場合等における耐衝撃性を高め、冷陰極放電管４が破損する事故を未然に防止することができる。
この場合、合成樹脂製の緩衝部材７を連続したチューブ状に形成し、冷陰極放電管４全体を覆うようにすることもできる。そして、このように、合成樹脂製の緩衝部材７を連続したチューブ状に形成することにより、大きな衝撃が加わることにより万一冷陰極放電管４が破損した場合でも、破損した冷陰極放電管４が周囲に飛散することを確実に防止することができる。
また、この連続したチューブ状の合成樹脂製の緩衝部材７は、別途製造した合成樹脂製チューブを用い、冷陰極放電管４に嵌挿して配設する方法のほか、冷陰極放電管４の表面に合成樹脂被膜を直接合成樹脂材料を塗布等することにより緩衝部材７を形成する方法を採用することもでき、このような配設方法を排除するものではない。
【００２５】
ところで、この照明付拡大鏡に用いる冷陰極放電管４には、通常の白色光を発する冷陰極放電管のほか、図６に示すように、表面に特定の周波数の可視光を透過させる光透過被膜９を形成した冷陰極放電管を用いることができる。
これにより、白色光以外の着色光による照明としたり、紫外線の放出量を低減する等、拡大鏡の使用目的に応じた照明を行うことができるものとなる。
なお、合成樹脂製の緩衝部材７を、連続したチューブ状に形成し、冷陰極放電管４全体を覆うように構成した場合には、この緩衝部材７に特定の周波数の可視光を透過させる機能を付加することができる。
【００２６】
また、同様に、冷陰極放電管４には、蛍光体被膜に演色性の蛍光体被膜を形成した冷陰極放電管を用いることができる。
これにより、照明付拡大鏡の使用目的に応じて、白色光以外の着色光による照明を行うことができるものとなる。
【００２７】
また、冷陰極放電管４に、図６に示すように、部分的に蛍光体被膜４１を設けない部分４２を形成した冷陰極放電管を用いることができる。
この場合、冷陰極放電管４から放出された紫外線の影響を低減するために、蛍光体被膜４１を設けない部分４２が、レンズ保持部２に覆われた部分に位置するように、蛍光体被膜４１を設けない部分４２を設定するようにする。
これにより、冷陰極放電管４から照射される光の損失を少なくして、発光効率を向上することができる。
【００２８】
また、冷陰極放電管４から放出された紫外線の影響を低減するために、レンズ５及び固定リング８は、紫外線の透過率の低いアクリル樹脂等の材料（図７参照）で以て構成することが望ましい。
【００２９】
以上、本発明の照明付拡大鏡について、その一実施例に基づいて説明したが、本発明は上記実施例に記載した構成に限定されるものではなく、例えば、電源として、照明付拡大鏡の使用態様に応じて、乾電池のほか、充電池（ＡＣ１００Ｖ等の商用電源からの直接充電を含む。）、自動車電源（例えば、シガレットライターを利用を含む。）、ＡＣ１００Ｖ等の商用電源（ＡＣ−ＤＣアダプタ利用を含む。）等の各種電源を適宜組み合わせて用いることができるように構成したり、冷陰極放電管４を点灯放電するための放電回路１１において発生する熱を外部に放散させるために、放電回路１１を配設する把持部３に、空気が自然循環する空気流通孔を形成したり、放熱板を貼着する等、その趣旨を逸脱しない範囲において適宜その構成を変更することができるものである。
【００３０】
【発明の効果】
本発明の照明付拡大鏡によれば、冷陰極放電管に複数個のリング状又はチューブ状の合成樹脂製の緩衝部材を配設し、この緩衝部材を介して、冷陰極放電管をレンズ保持部に保持するようにしているので、低消費電力で白色光に近い明るい照明を得ることができる冷陰極放電管の利点を享有することができるとともに、冷陰極放電管から照射される光の損失を少なくしながら、拡大鏡を誤って落下させた場合等における耐衝撃性を高め、冷陰極放電管が破損する事故を未然に防止することができ、広い範囲の用途に使用できる照明付拡大鏡を低コストで提供することができる。
【００３１】
そして、冷陰極放電管を保持するレンズ保持部に光が散乱する材料を配設することにより、冷陰極放電管の光を均一に照射することができる。
【００３２】
また、冷陰極放電管を保持するレンズ保持部の一方の面を光が透過しない材料で、他方の面を光が透過する材料で以て構成することにより、眩しさを軽減しながら、冷陰極放電管から照射される光の損失を一層少なくすることができる。
【００３３】
また、冷陰極放電管に、特定の周波数の可視光を透過させる光透過被膜を形成することにより、白色光以外の着色光による照明としたり、紫外線の放出量を低減する等、拡大鏡の使用目的に応じた照明を行うことができる。
【００３４】
また、冷陰極放電管に、蛍光体被膜に演色性の蛍光体被膜を形成した冷陰極放電管を用いることにより、拡大鏡の使用目的に応じて、白色光以外の着色光による照明を行うことができる。
【００３５】
また、冷陰極放電管に、部分的に蛍光体被膜を設けない部分を形成することにより、冷陰極放電管から照射される光の損失を少なくして、発光効率を向上することができる。
【図面の簡単な説明】
【図１】  本発明の照明付拡大鏡の一実施例を示す正面断面図である。
【図２】  同平面図である。
【図３】  同側面図である。
【図４】  同平面断面図である。
【図５】  同要部を示す正面断面図である。
【図６】  冷陰極放電管の変形例を示す管の横断面図である。
【図７】  光透過特性の説明図である。
【符号の説明】
１    本体
２    レンズ保持部
２１  内鍔
２２  異径段部
２３  嵌合溝
３    把持部
４    冷陰極放電管
５    レンズ
６    中間リング
７    緩衝部材
８    固定リング
９    光透過被膜
【図１】
0004405659.tif 000002
【図２】
0004405659.tif 000003
【図３】
0004405659.tif 000004
【図４】
0004405659.tif 000005
【図５】
0004405659.tif 000006
【図６】
0004405659.tif 000007
【図７】
0004405659.tif 000008